(57)【要約】【課題】コストを低減する。【解決手段】既存のドア額縁部材をボード５２および下地材５３から切り離して除去する除去工程と、下地材５３の切り離し側に追加の下地材６１を施工する下地材補修工程と、交換用ドア額縁部材２１を、幅狭枠板部３２が幅広枠板部３１の浴室とは反対側の端部から枠外側に延出する姿勢とし、幅狭枠板部３２をボード５２から浴室とは反対側に所定距離離間するように配置しつつ幅広枠板部３１を追加の下地材６１および取付部５５に取り付けるドア額縁部材取付工程と、カバー部材２２を、幅狭カバー板部４２が幅広カバー板部４１の枠内側の端部から浴室側に延出する姿勢とし、幅狭カバー板部４２を幅狭枠板部３２と追加の下地材６１との間に挿入し、幅広カバー板部４１をボード５２の浴室とは反対側に取り付けるカバー部材取付工程と、を含む。【選択図】図８
2015172311.tif 000002
【特許請求の範囲】
【請求項１】
浴室の出入口を仕切るドア本体の浴室とは反対側に設けられた枠状のドア額縁の改修工法であって、
幅広枠板部と該幅広枠板部よりも幅が狭い幅狭枠板部とを有する断面Ｌ字状の交換用ドア額縁部材と、
幅広カバー板部と該幅広カバー板部よりも幅が狭い幅狭カバー板部とを有する断面Ｌ字状のカバー部材と、を準備し、
前記ドア本体の取付部と既存のドア額縁部材との連結を解除するとともに該既存のドア額縁部材をその枠外側に設けられた浴室とは反対側のボードおよび浴室側の下地材から切り離して除去する除去工程と、
前記下地材の切り離し側に追加の下地材を施工する下地材補修工程と、
前記交換用ドア額縁部材を、前記幅狭枠板部が前記幅広枠板部の浴室とは反対側の端部から枠外側に延出する姿勢とし、前記幅狭枠板部を前記ボードから浴室とは反対側に所定距離離間するように配置しつつ前記幅広枠板部を前記追加の下地材および前記取付部に取り付けるドア額縁部材取付工程と、
前記カバー部材を、前記幅狭カバー板部が前記幅広カバー板部の枠内側の端部から浴室側に延出する姿勢とし、前記幅狭カバー板部を前記幅狭枠板部と前記追加の下地材との間に挿入し、前記幅広カバー板部を前記ボードの浴室とは反対側に取り付けるカバー部材取付工程と、
を含むことを特徴とするドア額縁の改修工法。
【請求項２】
浴室の出入口を仕切るドア本体の浴室とは反対側に設けられる枠状のドア額縁の改修構造であって、
除去された既存のドア額縁部材から切り離されて残存する下地材およびボードと、
前記残存する下地材の切り離し側に施工される追加の下地材と、
幅広枠板部と該幅広枠板部よりも幅が狭い幅狭枠板部とを有する断面Ｌ字状の交換用ドア額縁部材と、
幅広カバー板部と該幅広カバー板部よりも幅が狭い幅狭カバー板部とを有する断面Ｌ字状のカバー部材と、を有し、
前記交換用ドア額縁部材は、前記幅狭枠板部が前記幅広枠板部の浴室とは反対側の端部から枠外側に延出する姿勢で、前記幅狭枠板部が前記ボードから浴室とは反対側に所定距離離間するように配置されて、前記幅広枠板部が前記追加の下地材および前記ドア本体の取付部に取り付けられており、
前記カバー部材は、前記幅狭カバー板部が前記幅広カバー板部の枠内側の端部から浴室側に延出する姿勢で、前記幅狭カバー板部が前記幅狭枠板部と前記追加の下地材との間に挿入され、前記幅広カバー板部が前記ボードの浴室とは反対側に取り付けられていることを特徴とするドア額縁の改修構造。
【請求項３】
浴室の出入口を仕切るドア本体の浴室とは反対側に設けられた枠状のドア額縁の改修工法であって、
第１幅広板部と該第１幅広板部よりも幅が狭い第１幅狭板部とを有する断面Ｌ字状の第１カバー部材と、
第２幅広板部と該第２幅広板部よりも幅が狭い第２幅狭板部とを有する断面Ｌ字状の第２カバー部材と、を準備し、
前記第１カバー部材を、前記第１幅狭板部が前記第１幅広板部の枠外側の端部から浴室側に延出する姿勢とし、前記第１幅広板部をドア額縁部材の浴室とは反対側の端面に取り付けて前記第１幅狭板部を前記端面よりも浴室側に設けられたボードに当接させる第１の取付工程と、
前記第２カバー部材を、前記第２幅狭板部が前記第２幅広板部の浴室とは反対側の端部から枠外側に延出する姿勢とし、前記第２幅広板部を前記ドア額縁部材の枠内側に取り付け、前記第２幅狭板部を前記第１幅広板部の浴室とは反対側に取り付ける第２の取付工程と、
を含むことを特徴とするドア額縁の改修工法。
【請求項４】
浴室の出入口を仕切るドア本体の浴室とは反対側に設けられる枠状のドア額縁の改修構造であって、
第１幅広板部と該第１幅広板部よりも幅が狭い第１幅狭板部とを有する断面Ｌ字状の第１カバー部材と、
第２幅広板部と該第２幅広板部よりも幅が狭い第２幅狭板部とを有する断面Ｌ字状の第２カバー部材と、を備え、
前記第１カバー部材は、前記第１幅狭板部が前記第１幅広板部の枠外側の端部から浴室側に延出する姿勢で、前記第１幅広板部がドア額縁部材の浴室とは反対側の端面に取り付けられ、前記第１幅狭板部が前記端面よりも浴室側に設けられたボードに当接しており、
前記第２カバー部材は、前記第２幅狭板部が前記第２幅広板部の浴室とは反対側の端部から枠外側に延出する姿勢で、前記第２幅広板部が前記ドア額縁部材の枠内側に取り付けられ、前記第２幅狭板部が前記第１幅広板部の浴室とは反対側に取り付けられていることを特徴とするドア額縁の改修構造。
【発明の詳細な説明】
【技術分野】
【０００１】
本発明は、ドア額縁の改修工法および改修構造に関する。
【背景技術】
【０００２】
浴室ドアは、一般に、浴室側にドア本体が設けられ、ドア本体の浴室とは反対側にドア額縁が設けられた構造となっている。このような浴室ドアにおいて、ドア額縁を改修する場合に、額縁本体と浴室壁との隙間をつば部品で覆うものがある。額縁本体にはＬ字型の嵌合溝が形成されており、つば部材は屈曲形状をなす端部がこの嵌合溝に嵌合されるようになっている（例えば、特許文献１参照）。
【０００３】
また、アルミサッシュのフレームに固定される額縁材の露出面の寸法に基づいて断面コ字状をした被覆材を形成し、この被覆材を額縁材の露出面に取り付ける改装工法がある（例えば、特許文献２参照）。
【先行技術文献】
【特許文献】
【０００４】
【特許文献１】特開２０１０−７７６７３号公報
【特許文献２】特開２０１１−１４４６０９号公報
【発明の概要】
【発明が解決しようとする課題】
【０００５】
特許文献１に記載の工法では、額縁本体のＬ字型の嵌合溝に、つば部材の屈曲形状をなす端部が嵌合されるようになっているため、つば部材が額縁本体の取り付け状況に影響を受けやすい。よって、寸法調整が面倒であり、施工コストが増大してしまう。また、額縁本体は、Ｌ字型の嵌合溝を形成する必要があることから、製造コストが増大してしまう。また、額縁本体と浴室壁との間に隙間があるため、額縁本体の固定の強度が十分ではない。これにより、額縁本体が斜めになり易く、額縁本体が斜めになると、額縁本体の嵌合溝に嵌合されたつば部材が変位して浴室壁との間に隙間を生じてしまう可能性がある。
【０００６】
特許文献２に記載の工法では、額縁材の露出面の寸法に基づいて断面コ字状をした被覆材を形成する必要があるため、やはり、コストが増大してしまう。
【０００７】
本発明は、コストを低減することができるドア額縁の改修工法および改修構造の提供を目的とする。
【課題を解決するための手段】
【０００８】
上記目的を達成するために、本発明のドア額縁の改修工法は、浴室の出入口を仕切るドア本体の浴室とは反対側に設けられた枠状のドア額縁の改修工法であって、幅広枠板部と該幅広枠板部よりも幅が狭い幅狭枠板部とを有する断面Ｌ字状の交換用ドア額縁部材と、幅広カバー板部と該幅広カバー板部よりも幅が狭い幅狭カバー板部とを有する断面Ｌ字状のカバー部材と、を準備し、前記ドア本体の取付部と既存のドア額縁部材との連結を解除するとともに該既存のドア額縁部材をその枠外側に設けられた浴室とは反対側のボードおよび浴室側の下地材から切り離して除去する除去工程と、前記下地材の切り離し側に追加の下地材を施工する下地材補修工程と、前記交換用ドア額縁部材を、前記幅狭枠板部が前記幅広枠板部の浴室とは反対側の端部から枠外側に延出する姿勢とし、前記幅狭枠板部を前記ボードから浴室とは反対側に所定距離離間するように配置しつつ前記幅広枠板部を前記追加の下地材および前記取付部に取り付けるドア額縁部材取付工程と、前記カバー部材を、前記幅狭カバー板部が前記幅広カバー板部の枠内側の端部から浴室側に延出する姿勢とし、前記幅狭カバー板部を前記幅狭枠板部と前記追加の下地材との間に挿入し、前記幅広カバー板部を前記ボードの浴室とは反対側に取り付けるカバー部材取付工程と、を含むことを特徴とする。
【０００９】
これにより、ドア額縁部材取付工程にて、幅広枠板部が追加の下地材およびドア本体の取付部に取り付けられた状態の断面Ｌ字状の交換用ドア額縁部材は、幅狭枠板部を幅広枠板部の浴室とは反対側の端部から枠外側に延出させて、ボードから浴室とは反対側に所定距離離間させている。この状態の幅狭枠板部と追加の下地材との間に、カバー部材取付工程にて、断面Ｌ字状のカバー部材の幅狭カバー板部を挿入し、幅広カバー板部をボードの浴室とは反対側に取り付ける。このようにカバー部材は、交換用ドア額縁部材の幅狭枠板部と追加の下地材との間に挿入されて幅広カバー板部においてボードに取り付けられることから、交換用ドア額縁部材の取り付け状況の影響を受けにくい。よって、施工が容易となり施工コストを低減することができる。また、交換用ドア額縁部材に嵌合溝を形成する必要がないため、交換用ドア額縁部材の製造コストを低減することができる。また、下地材補修工程にて下地材の切り離し側に追加の下地材を施工し、ドア額縁部材取付工程にて交換用ドア額縁部材の幅広枠板部を追加の下地材およびドア本体の取付部に取り付けるため、交換用ドア額縁部材の固定の強度が十分になって斜めになることを抑制できる。
【００１０】
また、本発明のドア額縁の改修構造は、浴室の出入口を仕切るドア本体の浴室とは反対側に設けられる枠状のドア額縁の改修構造であって、除去された既存のドア額縁部材から切り離されて残存する下地材およびボードと、前記残存する下地材の切り離し側に施工される追加の下地材と、幅広枠板部と該幅広枠板部よりも幅が狭い幅狭枠板部とを有する断面Ｌ字状の交換用ドア額縁部材と、幅広カバー板部と該幅広カバー板部よりも幅が狭い幅狭カバー板部とを有する断面Ｌ字状のカバー部材と、を有し、前記交換用ドア額縁部材は、前記幅狭枠板部が前記幅広枠板部の浴室とは反対側の端部から枠外側に延出する姿勢で、前記幅狭枠板部が前記ボードから浴室とは反対側に所定距離離間するように配置されて、前記幅広枠板部が前記追加の下地材および前記ドア本体の取付部に取り付けられており、前記カバー部材は、前記幅狭カバー板部が前記幅広カバー板部の枠内側の端部から浴室側に延出する姿勢で、前記幅狭カバー板部が前記幅狭枠板部と前記追加の下地材との間に挿入され、前記幅広カバー板部が前記ボードの浴室とは反対側に取り付けられていることを特徴とする。
【００１１】
これにより、幅広枠板部が追加の下地材およびドア本体の取付部に取り付けられた状態の断面Ｌ字状の交換用ドア額縁部材は、幅狭枠板部を幅広枠板部の浴室とは反対側の端部から枠外側に延出させて、ボードから浴室とは反対側に所定距離離間させている。この状態の幅狭枠板部と追加の下地材との間に、断面Ｌ字状のカバー部材の幅狭カバー板部を挿入し、幅広カバー板部をボードの浴室とは反対側に取り付ける。このようにカバー部材は、交換用ドア額縁部材の幅狭枠板部と追加の下地材との間に挿入されて幅広カバー板部においてボードに取り付けられることから、交換用ドア額縁部材の取り付け状況の影響を受けにくい。よって、施工が容易となり施工コストを低減することができる。また、交換用ドア額縁部材に嵌合溝を形成する必要がないため、交換用ドア額縁部材の製造コストを低減することができる。また、交換用ドア額縁部材の幅広枠板部を追加の下地材および取付部に取り付けるため、交換用ドア額縁部材の固定の強度が十分になって斜めになることを抑制できる。
【００１２】
また、本発明のドア額縁の改修工法は、浴室の出入口を仕切るドア本体の浴室とは反対側に設けられた枠状のドア額縁の改修工法であって、第１幅広板部と該第１幅広板部よりも幅が狭い第１幅狭板部とを有する断面Ｌ字状の第１カバー部材と、第２幅広板部と該第２幅広板部よりも幅が狭い第２幅狭板部とを有する断面Ｌ字状の第２カバー部材と、を準備し、前記第１カバー部材を、前記第１幅狭板部が前記第１幅広板部の枠外側の端部から浴室側に延出する姿勢とし、前記第１幅広板部をドア額縁部材の浴室とは反対側の端面に取り付けて前記第１幅狭板部を前記端面よりも浴室側に設けられたボードに当接させる第１の取付工程と、前記第２カバー部材を、前記第２幅狭板部が前記第２幅広板部の浴室とは反対側の端部から枠外側に延出する姿勢とし、前記第２幅広板部を前記ドア額縁部材の枠内側に取り付け、前記第２幅狭板部を前記第１幅広板部の浴室とは反対側に取り付ける第２の取付工程と、を含むことを特徴とする。
【００１３】
これにより、第１の取付工程にて、第１カバー部材を、第１幅狭板部が第１幅広板部の枠外側の端部から浴室側に延出する姿勢として、第１幅広板部をドア額縁部材の浴室とは反対側の端面に取り付けて第１幅狭板部をボードに当接させる。次に、第２の取付工程にて、第２カバー部材を、第２幅狭板部が第２幅広板部の浴室とは反対側の端部から枠外側に延出する姿勢とし、第２幅広板部をドア額縁部材の枠内側に取り付け、第２幅狭板部を第１幅広カバー部の浴室とは反対側に取り付ける。このように、いずれも断面Ｌ字状の第１カバー部材および第２カバー部材を用いてドア額縁部材の露出部分を覆うため、コストを低減することができる。
【００１４】
また、本発明のドア額縁の改修構造は、浴室の出入口を仕切るドア本体の浴室とは反対側に設けられる枠状のドア額縁の改修構造であって、第１幅広板部と該第１幅広板部よりも幅が狭い第１幅狭板部とを有する断面Ｌ字状の第１カバー部材と、第２幅広板部と該第２幅広板部よりも幅が狭い第２幅狭板部とを有する断面Ｌ字状の第２カバー部材と、を備え、前記第１カバー部材は、前記第１幅狭板部が前記第１幅広板部の枠外側の端部から浴室側に延出する姿勢で、前記第１幅広板部がドア額縁部材の浴室とは反対側の端面に取り付けられ、前記第１幅狭板部が前記端面よりも浴室側に設けられたボードに当接しており、前記第２カバー部材は、前記第２幅狭板部が前記第２幅広板部の浴室とは反対側の端部から枠外側に延出する姿勢で、前記第２幅広板部が前記ドア額縁部材の枠内側に取り付けられ、前記第２幅狭板部が前記第１幅広板部の浴室とは反対側に取り付けられていることを特徴とする。
【００１５】
これにより、第１カバー部材は、その第１幅広板部がドア額縁部材の浴室とは反対側の端面に取り付けられて第１幅狭板部をボードに当接させている。第２カバー部材は、その第２幅広板部がドア額縁部材の枠内側に取り付けられて、第２幅狭板部が第１幅広カバー部の浴室とは反対側に取り付けられている。このように、いずれも断面Ｌ字状の第１カバー部材および第２カバー部材を用いてドア額縁部材の露出部分を覆うため、コストを低減することができる。
【発明の効果】
【００１６】
本発明によれば、コストを低減することができる。
【図面の簡単な説明】
【００１７】
【図１】本発明の第１実施形態に係るドア額縁の改修工法および改修構造が適用されたドア額縁およびドア本体を示す正面図である。
【図２】本発明の第１実施形態に係るドア額縁の改修工法および改修構造に適用される交換用ドア額縁部材を示す断面図である。
【図３】本発明の第１実施形態に係るドア額縁の改修工法および改修構造に適用されるカバー部材を示す断面図である。
【図４】本発明の第１実施形態に係るドア額縁の改修工法の除去工程前の状態を示す断面図である。
【図５】本発明の第１実施形態に係るドア額縁の改修工法の下地材補修工程後の状態を示す断面図である。
【図６】本発明の第１実施形態に係るドア額縁の改修工法のドア額縁部材取付工程後の状態を示す断面図である。
【図７】本発明の第１実施形態に係るドア額縁の改修工法のカバー部材取付工程の途中の状態を示す断面図である。
【図８】本発明の第１実施形態に係るドア額縁の改修工法のカバー部材取付工程後の状態を示す断面図である。
【図９】本発明の第２実施形態に係るドア額縁の改修工法の第１の取付工程後の状態を示す断面図である。
【図１０】本発明の第２実施形態に係るドア額縁の改修工法の第２の取付工程後の状態を示す断面図である。
【発明を実施するための形態】
【００１８】
本発明の第１実施形態に係るドア額縁の改修工法および改修構造について、図１〜図８を参照して説明する。
【００１９】
図１に示すように、ドア額縁１１は枠状をなしており、内側に浴室の出入口１０を形成する。ドア額縁１１内の出入口１０の浴室側には出入口１０を仕切るドア本体１２が設けられている。ドア額縁１１は、鉛直方向に沿う一方の側部構造部１５と、鉛直方向に沿う他方の側部構造部１６と、水平方向に沿ってこれら側部構造部１５および側部構造部１６の上端部同士を繋ぐ上部構造部１７とを有している。これら側部構造部１５、側部構造部１６および上部構造部１７は、いずれも交換用ドア額縁部材２１とカバー部材２２とを備えている。
【００２０】
図２に示すように、交換用ドア額縁部材２１は、幅広枠板部３１と、この幅広枠板部３１よりも幅が狭い幅狭枠板部３２とを有し、これらが垂直に連結された形状をなしている。つまり、交換用ドア額縁部材２１は、長さ方向に直交する断面がＬ字状となっている。幅広枠板部３１は、互いに平行な面３１Ａおよび面３１Ｂと、これらに直交する面３１Ｃとを有しており、幅狭枠板部３２は、互いに平行な面３２Ａおよび面３２Ｂと、これらに直交する面３２Ｃとを有している。面３１Ａと面３２Ａとは垂直に繋がっていて交換用ドア額縁部材２１の内角を形成しており、面３１Ｂと面３２Ｂとは垂直に繋がっていて交換用ドア額縁部材２１の外角を形成している。面３１Ｃは、面３２Ａおよび面３２Ｂと平行をなしており、面３２Ｃは、面３１Ａおよび面３１Ｂと平行をなしている。
【００２１】
幅狭枠板部３２と、幅広枠板部３１の厚さ方向における幅狭枠板部３２とは反対側の部分とが合成樹脂製の一体成形された樹脂部３３となっており、幅広枠板部３１の厚さ方向における幅狭枠板部３２側の部分は木製の木部３４となっている。これら樹脂部３３と木部３４とが接着されて一体化されることにより交換用ドア額縁部材２１を構成している。なお、樹脂部３３を設けずに、交換用ドア額縁部材２１の全体を合成樹脂製の一体成形品としても良い。
【００２２】
図３に示すように、カバー部材２２は、幅広カバー板部４１と、この幅広カバー板部４１よりも幅が狭い幅狭カバー板部４２とを有し、これらが垂直に連結されている。つまり、カバー部材２２は、長さ方向に直交する断面がＬ字状となっている。幅広カバー板部４１は、互いに平行な面４１Ａおよび面４１Ｂと、これらに直交する面４１Ｃとを有しており、幅狭カバー板部４２は、互いに平行な面４２Ａおよび面４２Ｂと、これらに直交する面４２Ｃとを有している。面４１Ａと面４２Ａとは垂直に繋がっていてカバー部材２２の内角を形成しており、面４１Ｂと面４２Ｂとは垂直に繋がっていてカバー部材２２の外角を形成している。面４１Ｃは、面４２Ａおよび面４２Ｂと平行をなしており、面４２Ｃは、面４１Ａおよび面４１Ｂと平行をなしている。幅広カバー板部４１の厚さ方向における幅狭カバー板部４２側の面４１Ａには、カバー部材２２の長さ方向に延びるＶノッチ４３が、幅広カバー板部４１の幅方向に所定の間隔をあけて複数形成されている。幅狭カバー板部４２の厚さ方向における幅広カバー板部４１側の面４２Ａには、カバー部材２２の長さ方向に延びるＶノッチ４４が、一カ所形成されている。
【００２３】
図１に示すドア本体１２は、浴室の出入口１０を開閉可能に仕切っており、ドア額縁１１はドア本体１２の浴室とは反対側に設けられて出入口１０を形成している。出入口１０の浴室とは反対側は、脱衣室Ｒ１側となっている。ここで、出入口１０の通過方向における浴室側を単に浴室側（図４〜図１０に示す矢印参照）と称し、出入口１０の通過方向における浴室とは反対側を単に浴室とは反対側と称す。また、出入口１０の通過方向に直交する方向において、枠状をなすドア額縁１１の中心側を枠内側と称し、ドア額縁１１の中心とは反対側を枠外側と称する（図４〜図１０に示す矢印参照）。
【００２４】
第１実施形態のドア額縁の改修工法について説明する。この改修工法は、図１に示すドア額縁１１の一方の側部構造部１５と他方の側部構造部１６と上部構造部１７とのすべてに対して行われることになる。ここでは、図４〜図８を参照しつつ一方の側部構造部１５への施工を例にとり説明する。施工にあたって、上記した交換用ドア額縁部材２１およびカバー部材２２を準備する。
【００２５】
改修前の既存のドア額縁の取付構造は、図４に示すように、ドア額縁を構成する木製の既存のドア額縁部材５１が、その枠外側に設けられた浴室とは反対側のボード５２と浴室側の下地材５３とに取り付けられている。ボード５２と下地材５３とは接着されている。ドア額縁部材５１は、枠外側の面５１Ａに下地材５３が接着されており、ボード５２は、ドア額縁部材５１の面５１Ａから枠内方向に凹む凹部５１Ｂに嵌合されて接着されている。また、既存のドア額縁部材５１は、その浴室側の端部が、ドア本体１２の座面１２Ａと、座面１２Ａよりも浴室とは反対側に延びる取付部５５の枠外側の面５５Ａとに当接した状態で、取付部５５にビス５６によって連結されている。ここで、下地材５３は例えば柱や桟であり、ボード５２は、その本体となる石膏ボード５８と石膏ボード５８の浴室とは反対側に貼り付けられた化粧クロス５９とからなっている。第１実施形態のドア額縁の改修工法は、例えば、塗装や表面が剥がれたり、傷がついたり、破損したり、腐朽した既存のドア額縁部材５１を交換する場合に行われる。また、浴室内のユニットバスを交換する場合に一緒にドア額縁１１を交換することがあり、このような場合にも、第１実施形態のドア額縁の改修工法を適用可能となっている。
【００２６】
改修時には、除去工程を行う。この除去工程では、ドア本体１２の取付部５５と既存のドア額縁部材５１とを連結しているビス５６を取り外し、取付部５５と既存のドア額縁部材５１との連結を解除する。また、これと前後して、既存のドア額縁部材５１をその枠外側に設けられたボード５２および下地材５３から切り離す。具体的には、図４に二点鎖線Ｚで示すように、ボード５２と下地材５３とを、ボード５２にドア額縁部材５１と平行な切断面５２Ｚを形成し、下地材５３に切断面５２Ｚと同一平面をなす切断面５３Ｚを形成するように切断する。その際に、ドア額縁部材５１の枠外側の面５１Ａから３０ｍｍ程度離れた位置で切断する。そして、除去工程では、ドア額縁部材５１をこれに接合された状態のボード５２および下地材５３の切断面５２Ｚおよび切断面５３Ｚよりもドア額縁部材５１側の部分とともに除去する。
【００２７】
次に、図５に示すように、下地材補修工程を行う。この下地材補修工程では、残存する下地材５３の切り離し側の切断面５３Ｚに、追加の下地材６１を接着剤やビスなどにより取り付ける。このとき、追加の下地材６１の枠内側の面６１Ａとドア本体１２の取付部５５の枠外側の面５５Ａとの距離が、図２に示す交換用ドア額縁部材２１の幅広枠板部３１の厚さと同等になるようにする。また、図５に示すように、残存する下地材５３の浴室とは反対側の面５３Ａと追加の下地材６１の浴室とは反対側の面６１Ｂとが同一平面をなすようにする。
【００２８】
次に、幅詰め工程を行う。この幅詰め工程では、図２に示す交換用ドア額縁部材２１の幅広枠板部３１の幅を詰める。つまり、後に実施されるドア額縁部材取付工程において、図６に示すように、交換用ドア額縁部材２１を、幅狭枠板部３２が幅広枠板部３１の浴室とは反対側の端部から枠外側に延出する姿勢として、幅広枠板部３１の面３１Ｃをドア本体１２の座面１２Ａに当接させたときに、幅狭枠板部３２が残存するボード５２から浴室とは反対側に所定距離離間するように、幅広枠板部３１の幅を詰め、面３１Ｃの位置を調整する。具体的には、幅広枠板部３１の面３１Ｃをドア本体１２の座面１２Ａに当接させたときに、幅狭枠板部３２の浴室側の面３２Ａと、ボード５２の浴室とは反対側の面５２Ａとの距離が、図３に示すカバー部材２２の幅広カバー板部４１の厚さと同等になるように面３１Ｃの位置を調整する。
【００２９】
次に、ドア額縁部材取付工程を行う。このドア額縁部材取付工程では、図６に示すように、交換用ドア額縁部材２１を、幅狭枠板部３２が幅広枠板部３１の浴室とは反対側の端部から枠外側に延出する姿勢として幅広枠板部３１を追加の下地材６１およびドア本体１２の取付部５５に取り付ける。具体的には、追加の下地材６１の枠内側の面６１Ａおよび交換用ドア額縁部材２１の幅広枠板部３１の枠外側の面３１Ａの少なくともいずれか一方に接着剤Ｓを塗布した状態で、これらを合わせつつ、幅広枠板部３１の浴室側の面３１Ｃをドア本体１２の座面１２Ａに当接させる。すると、交換用ドア額縁部材２１は、幅広枠板部３１の枠内側の面３１Ｂが取付部５５の枠外側の面５５Ａに当接する。この状態で取付部５５と幅広枠板部３１とをビス６５により連結する。また、これに加えて、追加の下地材６１と交換用ドア額縁部材２１の木部３４とを、ボード５２と交換用ドア額縁部材２１との隙間を介して面６１Ｂからねじ込まれるビス６６により連結しても良い。
【００３０】
これにより、交換用ドア額縁部材２１の面３１Ｃとドア本体１２の座面１２Ａとが当接し、交換用ドア額縁部材２１の面３１Ｂとドア本体１２の取付部５５の面５５Ａとが当接し、交換用ドア額縁部材２１の面３１Ａと追加の下地材６１の面６１Ａとが接合される。このように、交換用ドア額縁部材２１をドア本体１２および追加の下地材６１に取り付けることで、交換用ドア額縁部材２１の幅狭枠板部３２の面３２Ａがボード５２の面５２Ａから所定距離離間するように配置される。この所定距離は、上記した幅詰め工程での面３１Ｃの位置調整により、図３に示すカバー部材２２の幅広カバー板部４１の厚さと同等の値になる。
【００３１】
次に、カバー部材取付工程を行う。このカバー部材取付工程では、図７に示すように、カバー部材２２を、幅狭カバー板部４２が幅広カバー板部４１の枠内側の端部から浴室側に延出する姿勢とし、図８に示すように、幅狭カバー板部４２を交換用ドア額縁部材２１の幅狭枠板部３２と追加の下地材６１との間に挿入し、幅広カバー板部４１をボード５２の浴室とは反対側に取り付ける。ここで、ボード５２の厚さは二種類あり、図７，図８に示すようにボード５２の厚さが厚い場合には、幅狭カバー板部４２をそのままとし、ボード５２の厚さがこれよりも薄い場合には、幅狭カバー板部４２をＶノッチ４４の位置でカッタ等により切断する。つまり、幅狭カバー板部４２の幅は、幅広カバー板部４１からの突出長さが、Ｖノッチ４４で切断しない状態では、厚いボード５２の厚さ（例えば１２．５ｍｍ）と同等になり、Ｖノッチ４４で切断すると、薄いボード５２の厚さ（例えば９．５ｍｍ）と同等になる。また、幅狭カバー板部４２を交換用ドア額縁部材２１の幅広枠板部３１に当接させた状態で、幅広カバー板部４１がボード５２に必要十分な幅で重なり合うように、幅広カバー板部４１を必要により適宜のＶノッチ４３の位置でカッタ等により切断する。
【００３２】
上記のようにして、幅狭カバー板部４２の幅および幅広カバー板部４１の幅を必要により調整した状態のカバー部材２２に対して、図７に示すように、幅狭カバー板部４２の枠内側の面４２Ｂに両面テープＴ１を貼り付け、幅広カバー板部４１の浴室側の面４１Ａの枠外側に両面テープＴ２を貼り付ける。そして、幅狭カバー板部４２に貼り付けられた両面テープＴ１については幅狭カバー板部４２とは反対側の離けい紙を剥がしておき、幅広カバー板部４１に貼り付けられた両面テープＴ２については幅広カバー板部４１とは反対側の離けい紙を剥がさず、離けい紙の端部のみを両面テープＴ２の接着層よりも延出させた状態とする。
【００３３】
次に、図７に示すように、カバー部材２２の幅広カバー板部４１の面４１Ａをボード５２の浴室とは反対側の面５２Ａに押し当てこの面５２Ａの案内でスライドさせながら幅狭カバー板部４２を交換用ドア額縁部材２１の幅狭枠板部３２と追加の下地材６１との間に挿入して、図８に示すように、幅狭カバー板部４２に貼り付けられた両面テープＴ１を交換用ドア額縁部材２１の幅広枠板部３１の面３１Ａに押し付けて接着する。この挿入時に、幅広カバー板部４１に貼り付けられた両面テープＴ２の図示略の離けい紙の端部を幅広カバー板部４１とボード５２との間から外に引き出しておく。そして、幅狭カバー板部４２を両面テープＴ１で交換用ドア額縁部材２１の幅広枠板部３１に接着した状態で、幅広カバー板部４１をボード５２に対し若干浮かせながら、幅広カバー板部４１に貼り付けられた両面テープＴ２の離けい紙の端部を引き、この離けい紙を剥がして、両面テープＴ２をボード５２の面５２Ａに押し付けて接着する。これにより、幅広カバー板部４１がボード５２に接合される。
【００３４】
上記のカバー部材取付工程において、幅狭カバー板部４２の両面テープＴ１をなくし、幅広カバー板部４１のみを両面テープＴ２でボード５２に接着しても良い。また、幅狭カバー板部４２の両面テープＴ１にかえて、交換用ドア額縁部材２１の幅広枠板部３１の面３１Ａおよびカバー部材２２の幅狭カバー板部４２の面４２Ｂうちの少なくとも一方に接着剤を塗布し、この接着剤で幅広枠板部３１および幅狭カバー板部４２を接着しても良い。また、幅広カバー板部４１の両面テープＴ２にかえて、ボード５２の面５２Ａおよびカバー部材２２の幅広カバー板部４１の面４１Ａうちの少なくとも一方に接着剤を塗布し、この接着剤でボード５２および幅広カバー板部４１を接着しても良い。さらには、幅広カバー板部４１の両面テープＴ２に加えて、ボード５２およびカバー部材２２の幅広カバー板部４１のうちの少なくとも一方に接着剤を塗布し、この接着剤と両面テープとでボード５２および幅広カバー板部４１を接着しても良い。この場合、接着剤を両面テープＴ２の接着位置よりも交換用ドア額縁部材２１側に塗布すれば、両面テープＴ２により接着剤のはみ出しを規制できることになる。
【００３５】
ここで、図１に示すように、一方の側部構造部１５を構成するカバー部材２２と、上部構造部１７を構成するカバー部材２２との近接部分は、それぞれの端部に４５°の傾斜縁部２２Ａを形成し、これらの傾斜縁部２２Ａおよび傾斜縁部２２Ａを当接させるようになっている。他方の側部構造部１６を構成するカバー部材２２と、上部構造部１７を構成するカバー部材２２との近接部分も、それぞれの端部に４５°の傾斜縁部２２Ａを形成し、これらの傾斜縁部２２Ａおよび傾斜縁部２２Ａを当接させるようになっている。
【００３６】
以上のようにして形成された第１実施形態のドア額縁の改修構造は、除去された既存のドア額縁部材５１から切り離されて残存する下地材５３およびボード５２と、残存する下地材５３の切り離し側に施工される追加の下地材６１と、交換用ドア額縁部材２１と、カバー部材２２と、を有している。そして、交換用ドア額縁部材２１は、幅狭枠板部３２が幅広枠板部３１の浴室とは反対側の端部から枠外側に延出する姿勢で、幅狭枠板部３２がボード５２から浴室とは反対側に所定距離離間するように配置されて、幅広枠板部３１が追加の下地材６１およびドア本体１２の取付部５５に取り付けられている。また、カバー部材２２は、幅狭カバー板部４２が幅広カバー板部４１の枠内側の端部から浴室側に延出する姿勢で、幅狭カバー板部４２が幅狭枠板部３２と追加の下地材６１との間に挿入され、幅広カバー板部４１がボード５２の浴室とは反対側に取り付けられている。
【００３７】
以上に述べた第１実施形態によれば、ドア額縁部材取付工程にて、幅広枠板部３１が追加の下地材６１および取付部５５に取り付けられた状態の断面Ｌ字状の交換用ドア額縁部材２１は、幅狭枠板部３２を幅広枠板部３１の浴室とは反対側の端部から枠外側に延出させて、ボード５２から浴室とは反対側に所定距離離間させている。この状態の幅狭枠板部３２と追加の下地材６１との間に、カバー部材取付工程にて、断面Ｌ字状のカバー部材２２の幅狭カバー板部４２を挿入し、幅広カバー板部４１をボード５２の浴室とは反対側に取り付ける。
【００３８】
このようにカバー部材２２は、交換用ドア額縁部材２１の幅狭枠板部３２と追加の下地材６１との間に挿入されて幅広カバー板部４１においてボード５２に取り付けられることから、交換用ドア額縁部材２１の取り付け状況の影響を受けにくい。よって、施工が容易となり施工コストを低減することができる。また、交換用ドア額縁部材２１に嵌合溝を形成する必要がないため、交換用ドア額縁部材２１の製造コストを低減することができる。また、下地材補修工程にて下地材５３の切り離し側に追加の下地材６１を施工し、ドア額縁部材取付工程にて交換用ドア額縁部材２１の幅広枠板部３１を追加の下地材６１およびドア本体１２の取付部５５に取り付けるため、交換用ドア額縁部材２１の固定の強度が十分になって斜めになることを抑制できる。
【００３９】
本発明の第２実施形態について、第１実施形態との相違部分を中心に主に図３，図４，図９，図１０を参照して説明する。
【００４０】
第２実施形態では、第１実施形態と同様のカバー部材２２が二つ用いられる。各構成を区別するため、一方のカバー部材２２の各構成には符号に「ａ」を、他方のカバー部材２２の各構成には符号に「ｂ」を付す。
【００４１】
第２実施形態のドア額縁の改修工法について説明する。
第１実施形態と同様、改修前の既存のドア額縁の取付構造は、図４に示すように、木製の既存のドア額縁部材５１がその枠外側に設けられた浴室とは反対側のボード５２および浴室側の下地材５３に取り付けられている。第２実施形態のドア額縁の改修工法は、例えば、塗装が剥がれたり、軽度の傷がついたり、軽度に破損したりした既存のドア額縁部材５１を改修する場合に行われる。改修工法の施工にあたって、カバー部材２２ａ（第１カバー部材）およびカバー部材２２ｂ（第２カバー部材）を準備する。
【００４２】
まず、第１の幅詰め工程を行う。つまり、図９に示すカバー部材２２ａについて、幅狭カバー板部４２ａ（第１幅狭板部）の幅広カバー板部４１ａ（第１幅広板部）から突出する部分の幅方向の長さが、ドア額縁部材５１の浴室とは反対側の端面５１Ｃとこの端面５１Ｃよりも浴室側に設けられたボード５２の面５２Ａとの距離と同等になるように幅狭カバー板部４２ａを適宜の位置で切断して幅寸法を詰める。
【００４３】
また、第２の幅詰め工程を行う。つまり、図１０に示すカバー部材２２ｂについて、幅広カバー板部４１ｂ（第２幅広板部）の幅狭カバー板部４２ｂ（第２幅狭板部）から突出する部分の幅方向の長さが、取付部５５の浴室とは反対側の面５５Ｂとドア額縁部材５１の浴室とは反対側の端面５１Ｃとの距離とカバー部材２２ａの幅広カバー板部４１ａの厚さとを加算した値と同等になるように幅広カバー板部４１ｂを適宜の位置で切断して幅寸法を詰める。第１の幅詰め工程と第２の幅詰め工程とは順序を入れ替えても良い。
【００４４】
次に、第１の取付工程を行う。この第１の取付工程では、図９に示すように、カバー部材２２ａを、幅狭カバー板部４２ａが、幅広カバー板部４１ａの枠外側の端部から浴室側に延出する姿勢として、幅広カバー板部４１ａをドア額縁部材５１の浴室とは反対側の端面５１Ｃに取り付ける。これにより、幅狭カバー板部４２ａをボード５２に当接させる。具体的には、幅広カバー板部４１ａの面４１Ａａとドア額縁部材５１の端面５１Ｃとのうちの少なくとも一方に接着剤を塗布し、幅広カバー板部４１ａの枠内側の面４１Ｃａがドア額縁部材５１の枠内側の面５１Ｄと同一平面になるように位置を合わせて幅広カバー板部４１ａの面４１Ａａとドア額縁部材５１の端面５１Ｃとを接着する。この状態では、上記した幅詰めが行われていることから、カバー部材２２ａの幅狭カバー板部４２ａの浴室側の面４２Ｃａがボード５２の浴室とは反対側の面５２Ａに当接する。このとき、幅狭カバー板部４２ａとボード５２とを接着剤により接着しても良い。
【００４５】
なお、第１の幅詰め工程において、カバー部材２２ａの幅広カバー板部４１ａについても、幅広カバー板部４１ａの枠内側の面４１Ｃａがドア額縁部材５１の枠内側の面５１Ｄと同一平面になるように位置を合わせたときに、幅狭カバー板部４２ａの面４２Ａａがドア額縁部材５１の面５１Ａに当接しあるいは近接するように幅を詰めておいても良い。また、第１の幅詰め工程の後、第１の取付工程を行い、その後、第２の幅詰め工程を行っても良い。
【００４６】
次に、第２の取付工程を行う。この第２の取付工程では、図１０に示すように、カバー部材２２ｂを、幅狭カバー板部４２ｂが幅広カバー板部４１ｂの浴室とは反対側の端部から枠外側に延出する姿勢とし、幅広カバー板部４１ｂをドア額縁部材５１の枠内側の面５１Ｄに取り付け、幅狭カバー板部４２ｂをカバー部材２２ａの幅広カバー板部４１ａの浴室とは反対側の面４１Ｂａに取り付ける。具体的には、幅広カバー板部４１ｂの枠外側の面４１Ａｂとドア額縁部材５１の面５１Ｄとのうちの少なくとも一方に接着剤を塗布し、幅狭カバー板部４２ｂの浴室側の面４２Ａｂと幅広カバー板部４１ａの面４１Ｂａとのうちの少なくとも一方に接着剤を塗布して、幅広カバー板部４１ｂの面４１Ａｂとドア額縁部材５１の面５１Ｄとを接着し、幅狭カバー板部４２ｂの面４２Ａｂと幅広カバー板部４１ａの面４１Ｂａとを接着する。
【００４７】
この状態では、上記した幅詰めが行われていることから、カバー部材２２ｂの幅広カバー板部４１ｂの浴室側の面４１Ｃｂが、取付部５５の浴室とは反対側の面５５Ｂに当接する。なお、第１，第２の取付工程において、適宜の接着を、接着剤を用いるのではなく両面テープを用いて行っても良い。
【００４８】
第２の取付工程後は、カバー部材２２ｂの幅広カバー板部４１ｂの枠内側の面４１Ｂｂと、幅狭カバー板部４２ｂの浴室とは反対側の面４２Ｂｂと、幅狭カバー板部４２ｂの枠外側の面４２Ｃｂと、カバー部材２２ａの幅広カバー板部４１ａの浴室とは反対側の面４１Ｂａと幅狭カバー板部４２ａの枠外側の面４２Ｂａとが露出する。
【００４９】
以上のようにして形成された第２実施形態のドア額縁の改修構造は、カバー部材２２ａが、幅狭カバー板部４２ａが幅広カバー板部４１ａの枠外側の端部から浴室側に延出する姿勢で、幅広カバー板部４１ａがドア額縁部材５１の浴室とは反対側の端面５１Ｃに取り付けられ、幅狭カバー板部４２ａが端面５１Ｃよりも浴室側に設けられたボード５２の面５２Ａに当接しており、カバー部材２２ｂは、幅狭カバー板部４２ｂが幅広カバー板部４１ｂの浴室とは反対側の端部から枠外側に延出する姿勢で、幅広カバー板部４１ｂがドア額縁部材５１の枠内側の面５１Ｄに取り付けられ、幅狭カバー板部４２ｂがカバー部材２２ａの幅広カバー板部４１ａの浴室とは反対側の面４１Ｂａに取り付けられている。
【００５０】
以上に述べた第２実施形態によれば、第１の取付工程にて、カバー部材２２ａを、幅狭カバー板部４２ａが幅広カバー板部４１ａの枠外側の端部から浴室側に延出する姿勢として、幅広カバー板部４１ａをドア額縁部材５１の浴室とは反対側の端面５１Ｃに取り付けて幅狭カバー板部４２ａをボード５２に当接させる。次に、第２の取付工程にて、カバー部材２２ｂを、幅狭カバー板部４２ｂが幅広カバー板部４１ｂの浴室とは反対側の端部から枠外側に延出する姿勢とし、幅広カバー板部４１ｂをドア額縁部材５１の枠内側の面５１Ｄに取り付け、幅狭カバー板部４２ｂを幅広カバー板部４１ａの浴室とは反対側に取り付ける。このように、いずれも断面Ｌ字状のカバー部材２２ａおよびカバー部材２２ｂを用いてドア額縁部材５１の露出部分を覆うため、コストを低減することができる。また、塗装し直す場合のように手間のかかる養生やマスキングが不要であるため、施工が容易で施工コストを低減することができる。また、カバー部材２２ａおよびカバー部材２２ｂは共通部品であるため、さらにコストを低減することができる。また、第１実施形態のカバー部材２２と、第２実施形態のカバー部材２２ａおよびカバー部材２２ｂも共通部品であるため、第１実施形態の工法および構造を採用する場合と、第２実施形態の工法および構造を採用する場合とで、部品を共通化できることになり、さらにコストを低減することができる。
【符号の説明】
【００５１】
１０  出入口
１１  ドア額縁
１２  ドア本体
２１  交換用ドア額縁部材
２２  カバー部材
２２ａ  カバー部材（第１カバー部材）
２２ｂ  カバー部材（第２カバー部材）
３１  幅広枠板部
３２  幅狭枠板部
４１  幅広カバー板部
４１ａ  幅広カバー板部（第１幅広板部）
４１ｂ  幅広カバー板部（第２幅広板部）
４２  幅狭カバー板部
４２ａ  幅狭カバー板部（第１幅狭板部）
４２ｂ  幅狭カバー板部（第２幅狭板部）
５１  既存のドア額縁部材
５１Ｃ  端面
５２  ボード
５３  下地材
５５  取付部
６１  追加の下地材
【図１】
2015172311.tif 000003
【図２】
2015172311.tif 000004
【図３】
2015172311.tif 000005
【図４】
2015172311.tif 000006
【図５】
2015172311.tif 000007
【図６】
2015172311.tif 000008
【図７】
2015172311.tif 000009
【図８】
2015172311.tif 000010
【図９】
2015172311.tif 000011
【図１０】
2015172311.tif 000012